(57)【特許請求の範囲】
【請求項１】
２つのフランジ（２６、２８）の間で給電装置の横方向に沿ってずらされている平行な垂直平面内を、導電バー（２４）自身の縁部に沿って延長している前記導電バー（２４）を備え、前記フランジ（２６、２８）は一つの平面に対してそれぞれ垂直でありかつ相互に平行に延在し、前記平面は前記給電装置の横方向に垂直である、垂直多極母線（１２）と、
電気装置（２２）を支持および接続するための装着板（２０、２０Ａ）と、
前記導電バー（２４）の長手方向に沿う一平面上に配置され、穴（３０）が設けられている保護格子（１４）と、
前記保護格子（１４）と前記装着板（２０、２０Ａ）との間に挿入され、前記保護格子（１４）の所定の前記穴（３０）をおのおの通って、対応する相の前記導電バー（２４）に係合する複数の引き込み接点（１８）を有する接続インタフェース（１６）を備える、前記垂直多極母線（１２）に前記装着板（２０、２０Ａ）を電気的に接続するための手段と、
前記保護格子（１４）上に前記装着板（２０、２０Ａ）の位置決めを行って、前記導電バー（２４）上の前記装着板（２０、２０Ａ）の複数の導電体（４８、５０、５２）の複数の端部（５６）を、平板である前記接続インタフェース（１６）の表面に対して垂直な方向に整列させる位置調整手段と、を備え、
前記接続インタフェース（１６）上に前記装着板（２０、２０Ａ）を取り付けると、前記接続インタフェース（１６）を基準として前記導電バー（２４）と反対側で、前記導電体（４８、５０、５２）の前記端部（５６）が前記引き込み接点（１８）内に挿入させられる、電気キュービクルの給電装置であって、
前記装着板（２０、２０Ａ）は、前記導電バー（２４）の延長方向において高さのずれを伴って長さが異なる前記導電体（４８、５０、５２）を備え、
前記引き込み接点（１８）は、平板である前記接続インタフェース（１６）の表面上の離間した位置にそれぞれ配置され、前記引き込み接点（１８）は、種々の相の前記導電バー（２４）の間の距離に対応するずれをもって、前記給電装置の横方向及び前記給電装置の高さの方向に対して斜めに配置され、
前記位置調整手段は、前記接続インタフェース（１６）に固定されると共に前記保護格子（１４）の穴（６４、６６）および前記装着板（２０、２０Ａ）の穴（６８、７０）と係合する少なくとも２本の心出しピン（６０、６２）を備えることを特徴とする電気キュービクルの給電装置。
【請求項２】
請求項１記載の電気キュービクルの給電装置であって、各々の前記心出しピン（６０、６２）は、前記接続インタフェース（１６）の両側の面から垂直に突き出たロッドによって形成されており、前記ロッドは、前記引き込み接点（１８）が前記導電バー（２４）の前記縁部上に挿入される方向に延在することを特徴とする電気キュービクルの給電装置。
【請求項３】
請求項１記載の電気キュービクルの給電装置であって、前記電気装置（２２）の負荷側端子に接続され、前記接続インタフェース（１６）の延長部（８４）によって支持されている前記引き込み接点（４２）と連繋して動作する接続導体（７２、７４、７６）の列を前記装着板（２０Ａ）が備えることを特徴とする電気キュービクルの給電装置。
【請求項４】
請求項３記載の電気キュービクルの給電装置であって、前記引き込み接点（１８）の引き込み方向に沿って１つの平面内にずらされて配置されている前記接続導体（７２、７４、７６）が配列された列に対して横切る方向に沿って前記導電体（４８、５０、５２）が配置されていることを特徴とする電気キュービクルの給電装置。
【発明の詳細な説明】
【０００１】
【発明の属する技術分野】
本発明は、２つのフランジの間で横方向に沿ってずらされている平行な垂直平面内を縁に沿って延びている導電バーを備える垂直多極母線と、電気装置を支持および接続するための装着板と、バーの前方に配置され、穴が設けられている保護格子と、保護格子と装着板との間に挿入され、格子の所定の穴をおのおの通って、対応する相のバーに係合する引き込み接点を有する接続インタフェースを備える、母線に装着板を電気的に接続するための手段と、を備える、低圧電気キュービクルの機能的給電装置に関するものである。
【０００２】
【従来の技術】
現在使用されている接続手段は、ケーブルを接続することにより、または締め付けることによる接続操作を要するブラケットを固定することによって形成されている。第１の場合には、ケーブルの端部が、組み立て雄ねじによってバーに固定されているスペードコネクタを備えている。第２の場合には、固定ブラケットが装着板の分岐導体に固定され、組立体が母線に直接固定されている。そのような装置は固定されていて、引き離し可能な解決構造または引き込み可能な解決構造に向けて高度化することはできない。装置の保守作業には母線から電源を切る必要があるが、そうすると電力供給を常時行うためには有害である。
【０００３】
仏国特許公開第２，５６２，３４４号が、垂直多極母線と、母線の前方に配置されて、穴が設けられている金属製保護格子とを備える低圧配電装置を記述している。保護格子と、電気装置を支持する装着板との間に引き込み接点を有する接続インタフェースが挿入され、各接点は格子の所定の穴を通って対応する相の母線に固定する。第１の列の引き込み接点が接続インタフェースの１つの面における１つの水平面内に配置されている。電気装置を母線に接続するために、接続インタフェースの反対側の面に第２の列の雌接点を必要とする。そのような接続インタフェースの深さ方向の寸法は非常に大きく、接続部分が多数あるために装置の組立てには長い時間を要する。
【０００４】
【発明が解決しようとする課題】
本発明の目的は、組立て時間および通電したままの装置の保守作業時間を短縮でき、しかも装置の高さおよび幅を変更することなく、固定されたもの、切り離すことができるもの、取り外すことができるもの、または引き込めることができるものなどの種々のものに改良できる機能的給電装置を得ることである。
【０００５】
【課題を解決するための手段】
本発明の機能的給電装置は、
装着板がバーの延長方向に高さ方向にずれている、種々の長さを呈する共平面導電体を備え、
引き込み接点が、種々の相のバーの間の距離に対応するずれをもって、接続インタフェースの板の上に斜めに配置され、
位置調整手段が、保護格子上の装着板の位置決めを行って、バー上の装着板の導電体の端部を接続インタフェースに垂直な方向に整列させることを特徴とするものである。
【０００６】
本発明の１つの特徴によれば、接続インタフェースに装着板を取り付けると、導電体の端部がバーの反対側で前記引き込み接点内に挿入させられる。
【０００７】
本発明の好適な態様によれば、位置調整手段は、接続インタフェースに固定されて、格子の穴および装着板の穴と連携して動作する少なくとも１本の心出しピンを備える。各心出しピンは、接続インタフェースの各側で突き出て、引き込み接点に平行に延びるロッドによって形成される。
【０００８】
装着板には、装置の負荷側端子に接続されて、接続インタフェースの延長部によって支持されている引き込み接点と連繋して動作する第２の列の接続導体を設けることができる。第２の列の接続導体は、電流導体の平面からずらされている１つの平面内に接点の引き込み方向に沿って配置されている。
【０００９】
【発明の実施の形態】
図１を参照してする。低圧多極電気キュービクルの機能的給電装置１０Ａが垂直母線１２と、保護格子１４と、引き込み接点１８を有する接続インタフェース１６と、電気装置２２を支持および接続するための装着板２０とを備えている。母線１２は、３相装置に中性点が含まれているか否かに応じて、３本または４本のバー２４によって構成されている。種々の相のバー２４は、２つの端部フランジ２６、２８の間を横に挿入されて、平行な垂直平面内で縁を外側に向けて延長している。保護格子１４には、接続インタフェース１６が母線１２に固定されている時に引き込み接点１８を通す複数の長方形穴３０が設けられている。装着板２０は平行四辺形であって、２つのフランジ２６と２８の間の距離に対応する横方向距離だけ相互に分離されている２つの組み立てブラケット３２、３４が設けられている。
【００１０】
キュービクルの機能領域の投影された表面が図１に破線で示されている。フランジ２６の左側には、電気装置２２の付属品の結線を納めるための第１の横区画３６が配置されている。他のフランジ２８の右側には、電気装置２２の出力導体の負荷側接続のための第２の横区画３８が配置されている。
【００１１】
図２は、装着板２０が母線１２のフランジ２６、２８上に電気装置２２とともに取り付けられている、組み立てられた位置における機能的給電装置１０Ａの固定された例を示す。負荷側接続は、電気装置２２の出力端子に接続されて、第２の区画３８に延びる接続ケーブルによって行われる。電気装置２２のバー２４への電源側接続は中央区画内で、図６および図７を参照して更に詳しく説明するように、装着板２０と引き込み接点１８とによって行われる。
【００１２】
図３は、装着板２０の固定雄ねじ４０を外すと電源側接続を切り離すことができ、それに続いて、装着板２０と関連する電気装置２２とによって構成された組立体を前方に引き出す動きを可能にする、機能的給電装置１０Ｂの切り離し可能な例を表す。
【００１３】
図４は電気装置２２の負荷側端子が引き込み接点１８のために引き出すことができ、引き込み接点１８に加えて、接続インタフェース１６上に配置されている引き込み接点４２から負荷側端子が切り離される、機能的給電装置１０Ｂの取り外し可能な例を表す。引き込み接点は装置に接続されている出力導体に接続されている。電気装置２２の装着板２０Ａは、この場合には、図２に示す固定例の装着板１０および図３に示す切り離し可能な例の装着板１０より広い。
【００１４】
図５は装着板２０Ａと電気装置２２とが、電気装置２２の電源側接続および負荷側接続と、付属装置の結線とを切り離すことができるようにする、機能的給電装置１０Ｄの抜き出し可能な例を表す。
【００１５】
図２乃至図５の４つの例の全てでは、装置の高さＨは同じままであり、キュービクルの内部の寸法は、選択した例とは無関係に、目立つほど変化することはない。固定例（図２）における機能的給電装置１０Ａは、図３乃至図５に示す他の例を引き続き補充的に参考することによって特別に製作することを容易にできる。
【００１６】
次に図６を参照する。この図には、電気装置２２を取り外した後の、固定した例の機能的給電装置１０Ａ、または切り離しできる例の機能的給電装置１０Ｂが上面図で表されている。電気装置２２を支持および接続するための装着板２０は、横断面が長方形で、長さが異なる導電体４８、５０、５２を３つまたは４つ含んでいる絶縁支持体４６を有する。それらの導電体は電気装置２２の電源側接触端子片にそれぞれ接続されている。３つの導電体４８、５０、５２は相互に高さ方向にずらされており、電気装置２２を支持している前面５４に平行に同じ平面内に配置されている。湾曲せられてブラケットを形成している３つの銅製導電体４８、５０、５２は母線１２の対応する相バー２４に整列させられている。接続インタフェース１６は母線１２の後端部と、導電体４８、５０、５２の端部５６との間の電気的接続を行う。引き込み接点１８は接続インタフェース１６のプレート５８の上に配置されており、かつ斜めに（図１）延びて導電体４８、５０、５２のずらしと寸法決定とを行う。
【００１７】
接続インタフェース１６には心出しピン６０、６２が設けられている。それらの心出しピンはプレート５８を直角に貫通して、母線１２が格子１４の穴６４、６６内に配置されている側に係合する。接続インタフェース１６を格子１４の上に配置すると、引き込み接点１８が穴３０を通った後で、それらの接点はバー２４の縁部上に同時に挿入させられる。接続インタフェース１６への装着板２０の取り付けは、同じ心出しピン６０、６２が絶縁支持体４６の穴６８、７０に係合した後で行われる。導電体４８、５０、５２の端部５６はプレート５８の前方で引き込み接点１８に入り、その後で組み立てブラケット３２、３４が母線１２のフランジ２６、２８に固定される。
【００１８】
格子１４の穴６４、６６と、装着板２０の穴６８、７０との両方に心出しピン６０、６２を入れられることによって、導電体４８、５０、５２の端部５６を母線１２の対応する相の銅製バー２４に完全に整列させることができる。母線１２と電気装置２２の電源側端子との間の電気接続を固定雄ねじなしに迅速に行うことができる。
【００１９】
図７乃至図１１において、取り外し可能な例の機能的給電装置１０Ｃは、図６を参照して説明したものと同じ電源側端子の接続を行っている。引き込み接点による電源側端子の結合部にはこの目的のために同じ参照番号を付けてあり、以下にはそれらについての説明は省略する。電気装置２２の負荷側端子の接続は、電気装置２２の負荷側端子に直結されているケーブルによってはもはや行われず、装着板２０Ａのケース４６内に納められている第２の列の接続導電体７２、７４、７６によって行われる。
【００２０】
電気装置２２を支持している装着板２０Ａは、引き込み接点１８の引き込み方向に関して僅かにずらされている、１つの平面内に配置されている第２の列の接続導電体７２、７４、７６に対して横に整列させられている第１の列の導電体４８、５０、５２を含む。接続棒７８、８０が装着板２０Ａの前面５４から突き出て、２つの列の導電体に電気的に接続する。３相電気装置２２が装着板２０Ａの前面５４の上に配置させられている時は、接続棒７８、８０は電気装置２２の電源側と負荷側とにそれぞれ相互に接続される。
【００２１】
接続導電体７２、７４、７６の湾曲している端部８２は、導電体４８、５０、５２の他の端部５６が引き込み接点１８内に入った時に、引き込み接点４２と連繋して動作する。引き込み接点４２は接続インタフェース１６の延長８４によって支持される。
【００２２】
図１２はキュービクルの金属枠８６内に含まれている機能的給電装置１０Ｃを示す。
【図面の簡単な説明】
【図１】本発明の機能的給電装置の概略分解斜視図である。
【図２】本発明の機能的給電装置の固定例を示す概略斜視図である。
【図３】本発明の機能的給電装置の切り離し可能な例を示す図２と同じ取り付け高さの概略斜視図である。
【図４】本発明の機能的給電装置の取り外し可能な例を示す図２と同じ取り付け高さの概略斜視図である。
【図５】本発明の機能的給電装置の引き抜き可能な例を示す図２と同じ取り付け高さの概略斜視図である。
【図６】固定例または切り離し可能な例の機能的給電装置の横断面図である。
【図７】取り外し可能な例の機能的給電装置の立面図である。
【図８】図７に示す装置の平面図である。
【図９】図７に示す９−９線に沿う横断面図である。
【図１０】図８に示す装着板の前方斜視図である。
【図１１】図８に示す装着板の後方斜視図である。
【図１２】キュービクルの枠内に組み込まれている機能的給電装置の斜視図を示す。
【符号の説明】
１２  母線
１４  保護格子
１６  接続インタフェース
１８  引き込み接点
２０、２０Ａ  装着板
２４  バー
２６、２８  フランジ
３０、６４、６６、６８、７０  穴
４８、５０、５２、７２、７４、７６  導電体
６０、６２  心だしピン
【図１】
0004338809.tif 000002
【図２】
0004338809.tif 000003
【図３】
0004338809.tif 000004
【図４】
0004338809.tif 000005
【図５】
0004338809.tif 000006
【図６】
0004338809.tif 000007
【図７】
0004338809.tif 000008
【図８】
0004338809.tif 000009
【図９】
0004338809.tif 000010
【図１０】
0004338809.tif 000011
【図１１】
0004338809.tif 000012
【図１２】
0004338809.tif 000013